(57)【要約】【課題】ユーザが使用する可能性が高い電子クーポンを利用しやすくすることでユーザの利便性をいっそう高める技術を提供する。【解決手段】電子クーポン管理装置は、電子クーポンを発行する外部の装置と通信して電子クーポンを取得する。電子クーポン管理装置は、電子クーポンの有効期限が到来した時の他に、電子クーポンを取得した時から一定期間が経過した時にクーポンとしての利用を制限する。電子クーポン管理装置は、移動体に搭載される。電子クーポン管理装置は、移動体の移動に伴って、他の移動体との間で電子クーポンを転送する。【選択図】図１
2016206710.tif 000002
【特許請求の範囲】
【請求項１】
電子クーポン管理装置であって、
外部の装置とデータを通信するように構成された通信部と、
データを記憶するように構成された記憶部と、
前記電子クーポン管理装置の動作を制御するように構成された制御部とを備え、
前記制御部は、
前記通信部により前記外部の装置から電子クーポンを受信し、受信した前記電子クーポンを前記記憶部に記憶させるクーポン取得処理部と、
前記電子クーポンを受信した時から一定期間が経過した場合にクーポンとしての利用を制限する処理を行う制限処理部とを含む、電子クーポン管理装置。
【請求項２】
前記電子クーポン管理装置は、移動体に搭載されるように構成されており、
前記クーポン取得処理部が前記外部の装置から前記電子クーポンを受信することは、他の移動体を検出して前記他の移動体と前記通信部により通信することで前記他の移動体から前記電子クーポンを受信することを含み、
前記制御部は、前記他の移動体に対し前記記憶部に記憶される前記電子クーポンを前記通信部により送信するクーポン送信処理部を含む、請求項１に記載の電子クーポン管理装置。
【請求項３】
前記移動体は、目的地として設定された地点までの経路を案内するナビゲーション機能を提供しており、
前記制御部は、前記クーポン取得処理部が前記他の移動体から前記電子クーポンを受信した場合に、受信した前記電子クーポンのクーポン内容にかかる位置情報と、前記移動体の位置情報とに基づいて、前記クーポン内容にかかる位置情報に示される地点への経路を前記ナビゲーション機能によりナビゲーションさせるナビゲーション処理部を含む、請求項２に記載の電子クーポン管理装置。
【請求項４】
前記クーポン取得処理部が前記他の移動体から前記電子クーポンを受信し、受信した前記電子クーポンを前記記憶部に記憶させることには、前記他の移動体から前記電子クーポンを受信した位置情報、前記他の移動体から前記電子クーポンを受信した時点を示す情報、前記電子クーポンの受信にかかる前記他の移動体を識別する情報のうち少なくともいずれかを前記記憶部に記憶させることが含まれ、
前記制御部は、
前記記憶部に記憶される前記電子クーポンを利用する際に、前記他の移動体から前記電子クーポンを受信した位置情報、前記他の移動体から前記電子クーポンを受信した時点を示す情報、前記電子クーポンの受信にかかる前記他の移動体を識別する情報のうち少なくともいずれかを前記記憶部から読み出して外部の装置へ送信する取得時情報送信部を含む、請求項２または３に記載の電子クーポン管理装置。
【請求項５】
前記電子クーポンには、転送可能な回数の上限が設定されており、
前記クーポン送信処理部は、他の移動体に対し前記電子クーポンが転送された回数を加算して前記電子クーポンを送信するように構成されており、前記電子クーポンが転送された回数が前記転送可能な回数の上限に達している場合に、前記電子クーポンの転送を抑止する、請求項２に記載の電子クーポン管理装置。
【請求項６】
前記制御部は、
前記外部の装置から受信した前記電子クーポンについて、前記受信した時からの経過時間に応じて異なる態様でディスプレイに表示させるクーポン表示処理部を含む、請求項１から５のいずれか１項に記載の電子クーポン管理装置。
【請求項７】
前記電子クーポンの対象となる製品とサービスは、属性を有しており、
前記制限処理部が前記電子クーポンについて前記クーポンとしての利用を制限する処理は、前記電子クーポンの受信の時点から、前記電子クーポンの対象となる製品またはサービスの少なくともいずれかの属性に応じて定まる前記一定期間が経過した時に、前記クーポンとしての利用を制限することを含む、請求項１から６のいずれか１項に記載の電子クーポン管理装置。
【請求項８】
電子クーポン発行装置と電子クーポン管理装置とからなるシステムであって、
前記電子クーポン発行装置は、
前記電子クーポン管理装置と通信するように構成された第１の通信部と、
前記電子クーポン管理装置に提供する電子クーポンを記憶するように構成された第１の記憶部と、
前記電子クーポン発行装置の動作を制御するように構成された第１の制御部とを備え、
前記第１の制御部は、
前記電子クーポン管理装置と通信することにより、前記電子クーポン管理装置に対し前記電子クーポンを発行するクーポン発行処理部を含み、
前記電子クーポン管理装置は、
外部の装置とデータを通信するように構成された第２の通信部と、
データを記憶するように構成された第２の記憶部と、
前記電子クーポン管理装置の動作を制御するように構成された第２の制御部とを備え、
前記第２の制御部は、
前記第２の通信部により前記電子クーポン発行装置と通信することにより、前記電子クーポン発行装置が発行する前記電子クーポンを受信し、受信した前記電子クーポンを前記第２の記憶部に記憶させるクーポン取得処理部と、
前記電子クーポンを受信した時から一定期間が経過した場合にクーポンとしての利用を制限する処理を行う制限処理部とを含む、制限処理部とを含む、システム。
【請求項９】
電子クーポン発行装置と電子クーポン管理装置とからなるシステムにおいて前記電子クーポン管理装置が電子クーポンを管理するための方法であって、
前記方法は、
前記電子クーポン発行装置が、前記電子クーポン管理装置と通信することにより、前記電子クーポン管理装置に対し前記電子クーポンを発行するステップと、
前記電子クーポン管理装置が、前記電子クーポン発行装置と通信することにより、前記電子クーポン発行装置が発行する前記電子クーポンを受信するステップと、
前記電子クーポン管理装置が、前記電子クーポンを受信した時から一定期間が経過した場合にクーポンとしての利用を制限するステップとを含む、方法。
【請求項１０】
電子クーポン管理装置の動作を制御するためのプログラムであって、
前記電子クーポン管理装置は、プロセッサと、メモリとを備え、
前記プログラムは、前記プロセッサに、
外部の装置と通信することにより前記外部の装置から電子クーポンを受信し、受信した前記電子クーポンを前記メモリに記憶させるステップと、
前記電子クーポンを受信した時から一定期間が経過した場合にクーポンとしての利用を制限するステップとを実行させる、プログラム。
【発明の詳細な説明】
【技術分野】
【０００１】
本開示は、電子クーポンを管理する技術に関する。
【背景技術】
【０００２】
従来より、店舗等のサービス提供事業者が集客等をするために割引券（クーポン券）を発行することが行われている。近年では、スマートフォンなどの携帯型の電子機器が広く普及しており、Ｗｅｂサイトやアプリケーション等によって、電子的なクーポン（以下、電子的に発行されるクーポンを「電子クーポン」、または単に「クーポン」と言うこともある）を発行することも行われている。ユーザは、例えば、アプリケーションを実行して電子クーポンを電子機器にダウンロードし、店舗のレジ等において店舗のスタッフに電子クーポンを見せることにより、割引等の特典を受けることができる。
【０００３】
電子クーポンの利用が活発になるにつれて、多様な事業者が電子クーポンを提供してきている。ユーザは、複数種類の電子クーポンを端末にダウンロードして利用することができる。そのためこれら電子クーポンを利用するための利便性を向上させることが必要とされており、電子クーポンを効率よく端末側で管理するために様々な技術が検討されている。例えば、特開２００４−２４６５４８号公報（特許文献１）は、端末装置に表示させるクーポンの管理を容易に行うための技術が記載されている。特許文献１には、クーポンデータに設定された有効期限が切れている場合に、クーポンデータを削除することが記載されている。これにより、使用することができないクーポンを自動的に削除することができる。
【先行技術文献】
【特許文献】
【０００４】
【特許文献１】特開２００４−２４６５４８号公報
【発明の概要】
【発明が解決しようとする課題】
【０００５】
このように、携帯型の電子機器を通じて電子クーポンを取得する機会が増えてくると、様々な電子クーポンが電子機器に蓄積されることとなるため、ユーザにとっては、どの電子クーポンが必要であるかが分かり難くなるおそれがある。また、電子機器で様々な電子クーポンを取得しすぎると、必要な電子クーポンをユーザが探すことが困難となり、電子クーポンそのものの利用が滞ることにもなり得る。
【０００６】
したがって、電子クーポンの管理をいっそう容易にする技術が必要とされている。本開示は、電子クーポンを取得する機能を有する端末装置において、ユーザが使用しない電子クーポンよりも、ユーザが使用する可能性が高い電子クーポンを利用しやすくすることでユーザの利便性をいっそう高める技術を提供することを目的としている。
【課題を解決するための手段】
【０００７】
一実施形態に従う電子クーポン管理装置は、外部の装置とデータを通信するように構成された通信部と、データを記憶するように構成された記憶部と、電子クーポン管理装置の動作を制御するように構成された制御部とを備える。制御部は、通信部により外部の装置から電子クーポンを受信し、受信した電子クーポンを記憶部に記憶させるクーポン取得処理部と、外部の装置から受信した電子クーポンについて、電子クーポンを利用できる有効期限が到来した場合と、電子クーポンを受信した時から一定期間が経過した場合にクーポンとしての利用を制限する処理を行う制限処理部とを含む。
【０００８】
別の実施形態に従うと、電子クーポン発行装置と電子クーポン管理装置とからなるシステムが提供される。電子クーポン発行装置は、電子クーポン管理装置と通信するように構成された第１の通信部と、電子クーポン管理装置に提供する電子クーポンを記憶するように構成された第１の記憶部と、電子クーポン発行装置の動作を制御するように構成された第１の制御部とを備える。第１の制御部は、電子クーポン管理装置と通信することにより、電子クーポン管理装置に対し電子クーポンを発行するクーポン発行処理部を含む。電子クーポン管理装置は、外部の装置とデータを通信するように構成された第２の通信部と、データを記憶するように構成された第２の記憶部と、電子クーポン管理装置の動作を制御するように構成された第２の制御部とを備える。第２の制御部は、第２の通信部により電子クーポン発行装置と通信することにより、電子クーポン発行装置が発行する電子クーポンを受信し、受信した電子クーポンを第２の記憶部に記憶させるクーポン取得処理部と、電子クーポン発行装置から受信した電子クーポンについて、電子クーポンを利用できる有効期限が到来した場合と、電子クーポンを受信した時から一定期間が経過した場合にクーポンとしての利用を制限する処理を行う制限処理部とを含む。
【０００９】
別の実施形態に従うと、電子クーポン発行装置と電子クーポン管理装置とからなるシステムにおいて電子クーポン管理装置が電子クーポンを管理するための方法が提供される。この方法は、電子クーポン発行装置が、電子クーポン管理装置と通信することにより、電子クーポン管理装置に対し電子クーポンを発行するステップと、電子クーポン管理装置が、電子クーポン発行装置と通信することにより、電子クーポン発行装置が発行する電子クーポンを受信するステップと、電子クーポン管理装置が、電子クーポン発行装置から受信した電子クーポンについて、電子クーポンを利用できる有効期限が到来した場合と、電子クーポンを受信した時から一定期間が経過した場合にクーポンとしての利用を制限するステップとを含む。
【００１０】
別の実施形態に従うと、電子クーポン管理装置の動作を制御するためのプログラムが提供される。電子クーポン管理装置は、プロセッサと、メモリとを備える。プログラムは、プロセッサに、外部の装置と通信することにより外部の装置から電子クーポンを受信し、受信した電子クーポンをメモリに記憶させるステップと、外部の装置から受信した電子クーポンについて、電子クーポンを利用できる有効期限が到来した場合と、電子クーポンを受信した時から一定期間が経過した場合にクーポンとしての利用を制限するステップとを実行させる。
【発明の効果】
【００１１】
一実施形態によると、電子クーポン管理装置が電子クーポンを取得した時から一定期間が経過することでクーポンとしての利用が制限される。すなわち、電子クーポンがいつまで使用可能かという有効期限の設定にかかわらず、比較的新しく取得したクーポンが利用可能に保たれるとともに、ユーザによって消費されない電子クーポンが一定期間の経過で消去されていく。そのため、電子クーポン管理装置は、ユーザが使用しない電子クーポンよりも、ユーザが使用する可能性が高い電子クーポンを利用しやすくすることでユーザの利便性をいっそう高めることができる。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】本実施形態の概要を示す図である。
【図２】電子クーポン管理装置１０の構成と電子クーポン発行装置２０の構成とを示すブロック図である。
【図３】クーポン情報２６１のデータ構造と、クーポン利用履歴情報２６２のデータ構造とを示す図である。
【図４】クーポン管理情報１５１のデータ構造と、保存期間設定情報１５２のデータ構造と、紹介用クーポン情報１５３のデータ構造とを示す図である。
【図５】電子クーポン管理装置１０が電子クーポン発行装置２０から取得したクーポンが他の電子クーポン管理装置へ転送され、他の電子クーポン管理装置によってクーポンが利用される処理を示すフローチャートである。
【図６】移動体３に搭載される電子クーポン管理装置１０が電子クーポン発行装置２０と通信する処理を示すフローチャートである。
【図７】移動体３に搭載される電子クーポン管理装置１０が、移動体３が走行中の状態において他の移動体の電子クーポン管理装置と通信してクーポンを送信または受信する処理を示すフローチャートである。
【図８】クーポンの利用者に向けた画面の表示例、および、クーポンを発行する発行者に向けた画面の表示例を示す図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜実施の形態１＞
本実施形態では、電子クーポン発行装置と電子クーポン管理装置とからなるシステムについて説明する。電子クーポン発行装置は、広告主、店舗その他のクーポン発行者が用意する電子的なクーポン（以下、「電子クーポン」と言う。単に「クーポン」と言うこともある）を、通信により他の装置へ発行する。電子クーポン管理装置は、本実施形態では車両などの移動体に搭載されるが、搭載される対象は車両に限られず、自走しない端末装置などであってもよい。電子クーポン管理装置は、電子クーポン発行者から発行されるクーポンを受信し、受信したクーポンを管理する。具体的には、電子クーポン管理装置は、クーポンの有効期限等の設定に従ってクーポンを削除する処理、クーポンを他の電子クーポン管理装置へ転送する処理その他の処理を行う。また、電子クーポン管理装置は、電子クーポン発行装置からクーポンを受信した時から一定期間が経過した場合に、例えばクーポンを消去する、クーポンをディスプレイに表示しない等により、クーポンとしての利用を制限する処理を行う。
【００１６】
図１は、本実施形態の概要を示す図である。図１の例において、電子クーポン管理装置は、移動体３（移動体３Ａ、移動体３Ｂ）に搭載される。図１（Ａ）は、移動体３Ａが給油所１において給油をする場面の例を示す図である。図１（Ａ）に示すように、電子クーポン発行装置２０は、給油機能を有する装置に搭載される。移動体３Ａに搭載される電子クーポン管理装置は、移動体３Ａが給油所１においてガソリンを給油する際に電子クーポン発行装置２０と通信して、給油所１の事業者が発行するクーポンを電子クーポン発行装置２０から受信する。また、電子クーポン管理装置は、給油所１において利用可能なクーポンを保持している場合に、利用可能なクーポンを電子クーポン発行装置２０へ送信する。
【００１７】
図１（Ｂ）は、給油所１でクーポンを受信した移動体３Ａが、給油所１を出発して移動経路２に示すように移動した場面を示す図である。この場面において、移動体３Ａが走行する車線の対向車線を移動体３Ｂが走行している。
【００１８】
図１（Ｃ）は、移動体３Ａと移動体３Ｂとが各車線に沿って道路を走行しており、移動体３Ａと移動体３Ｂとがすれ違う際に通信をする場面を示す図である。移動体３Ａに搭載される電子クーポン管理装置は、給油所１において電子クーポン発行装置２０から受信したクーポンを、移動体３Ｂへ転送する。移動体３Ｂの電子クーポン管理装置は、移動体３Ａからクーポンを受信してメモリに保持する。これにより、移動体３Ｂの電子クーポン管理装置は、移動体３Ａの電子クーポン管理装置から受信したクーポンを利用することができる。移動体３Ｂは、例えばクーポンを発行した給油所１への経路を探索するためのナビゲーションを起動する。
【００１９】
＜構成＞
図２と図３とを参照して、本実施形態にかかる各装置を詳細に説明する。
【００２０】
図２は、電子クーポン管理装置１０の構成と電子クーポン発行装置２０の構成とを示すブロック図である。電子クーポン管理装置１０は、例えば車載無線通信の通信規格に従って電子クーポン発行装置２０と通信する。また、図２では、移動体３のユーザが把持する通信装置として利用者通信装置１２０を示している。利用者通信装置１２０には、例えば、ユーザを識別する情報を記録する装置として、ＩＣカード１２１、スマートフォン１２２、ウェアラブルデバイス１２３その他の通信装置が含まれる。移動体３のユーザは、ユーザを識別する情報を、利用者通信装置１２０によって電子クーポン発行装置２０へ送信することができる。電子クーポン発行装置２０は、例えば、図１に示すように、給油所１の給油機能を有する装置に搭載される。
【００２１】
図２に示すように、電子クーポン管理装置１０は、アンテナ１０１と、無線通信部１１１と、入出力ＩＦ（Interface）１１３と、記憶部１５０と、制御部１６０とを含む。
【００２２】
アンテナ１０１は、電子クーポン管理装置１０が発する信号を電波として放射する。また、アンテナ１０１は、空間から電波を受信して受信信号を無線通信部１１１へ与える。本実施形態では、電子クーポン管理装置１０は、複数の無線通信規格に対応している。
【００２３】
無線通信部１１１は、電子クーポン管理装置１０が他の無線機器と通信するため、アンテナ１０１等を介して信号を送受信するための変復調処理などを行う。無線通信部１１１は、チューナーなどを含む通信モジュールである。無線通信部１１１は、電子クーポン管理装置１０が送受信する無線信号の変復調や周波数変換を行い、受信信号を制御部１６０へ与える。
【００２４】
入出力ＩＦ１１３は、電子クーポン管理装置１０が外部の機器と接続して信号を送受信するためのインタフェースである。電子クーポン管理装置１０は、入出力ＩＦ１１３によりナビゲーションモジュール４１、ディスプレイ４２等の各装置と接続する。
【００２５】
記憶部１５０は、メモリ等により構成され、電子クーポン管理装置１０が使用するデータおよびプログラムを記憶する。ある局面において、記憶部１５０は、クーポン管理情報１５１と、保存期間設定情報１５２と、紹介用クーポン情報１５３と、顧客識別情報（ＩＤ）１５４とを記憶する。クーポン管理情報１５１、保存期間設定情報１５２および紹介用クーポン情報１５３の詳細は図面を参照して後述する。クーポン管理情報１５１は、電子クーポン管理装置１０が外部の装置から取得したクーポンを管理するための情報である。保存期間設定情報１５２は、クーポンのジャンルそれぞれに対して、電子クーポン管理装置１０がクーポンを取得してから保持する期間の設定を示す。紹介用クーポン情報１５３は、電子クーポン管理装置１０が他の装置に対して転送することができるクーポンの情報を示す。顧客識別情報１５４は、電子クーポン管理装置１０が搭載される移動体３のユーザを識別する情報を示す。
【００２６】
制御部１６０は、記憶部１５０に記憶されるプログラムを読み込んで、プログラムに含まれる命令を実行することにより、電子クーポン管理装置１０の動作を制御する。制御部１６０は、例えばプロセッサである。制御部１６０は、プログラムに従って動作することにより、クーポン取得処理部１６１と、制限処理部１６２と、クーポン送信処理部１６３と、ナビゲーション処理部１６４と、取得時情報送信部１６５と、クーポン表示処理部１６６としての機能を発揮する。
【００２７】
クーポン取得処理部１６１は、無線通信部１１１により、電子クーポン発行装置２０などの外部の装置からクーポンを受信し、受信したクーポンを記憶部１５０に記憶させる。クーポン取得処理部１６１は、他の移動体を検出して他の移動体と無線通信部１１１により通信することで他の移動体からクーポンを受信する。クーポン取得処理部１６１は、他の移動体からクーポンを受信した場合に、他の移動体からクーポンを受信した位置情報、他の移動体からクーポンを受信した時点を示す情報、クーポンの受信にかかる他の移動体を識別する情報などを取得して、取得した情報を記憶部１５０に記憶させる。
【００２８】
制限処理部１６２は、電子クーポン発行装置２０または他の移動体などの外部の装置から受信したクーポンについて、クーポンを受信した時から一定期間が経過した場合にクーポンとしての利用を制限する処理を行う。制限処理部１６２は、クーポンの受信の時点から、クーポンの対象となる製品またはサービスの少なくともいずれかの属性（ジャンル）に応じて定まる一定期間が経過した時に、クーポンとしての利用を制限する。
【００２９】
クーポン送信処理部１６３は、無線通信部１１１により他の移動体に対し記憶部１５０に記憶されるクーポンを送信する。クーポン送信処理部１６３は、他の移動体に対しクーポンが転送された回数を加算してクーポンを送信するように構成されており、クーポンが転送された回数が転送可能な回数の上限に達している場合に、クーポンの転送を抑止する。
【００３０】
ナビゲーション処理部１６４は、クーポン取得処理部１６１が他の移動体からクーポンを受信した場合に、受信したクーポンのクーポン内容にかかる位置情報と、移動体の位置情報とに基づいて、クーポン内容にかかる位置情報に示される地点への経路をナビゲーションモジュール４１によりナビゲーションさせる。
【００３１】
取得時情報送信部１６５は、記憶部１５０に記憶されるクーポンを利用する際に、他の移動体からクーポンを受信した位置情報、他の移動体からクーポンを受信した時点を示す情報、クーポンの受信にかかる他の移動体を識別する情報などのうち少なくともいずれかを記憶部１５０から読み出して、読み出した情報を電子クーポン発行装置２０などの外部の装置へ送信する。
【００３２】
クーポン表示処理部１６６は、電子クーポン発行装置２０または他の移動体などの外部の装置から受信したクーポンについて、受信した時からの経過時間に応じて異なる態様でディスプレイ４２に表示させる。
【００３３】
図２を参照して、電子クーポン発行装置２０は、通信部２０２と、記憶部２０６と、制御部２０７とを含む。記憶部２０６は、フラッシュメモリ、ＨＤＤ（Hard  Disk  Drive）、ＲＡＭ（Random  Access  Memory）等により構成され、電子クーポン発行装置２０が使用するプログラムを記憶し、電子クーポン発行装置２０が使用する各種のデータを蓄積する。通信部２０２は、電子クーポン発行装置２０が他の通信機器と通信するための変復調処理などを行う通信インタフェースである。
【００３４】
ある局面において、記憶部２０６は、クーポン情報２６１と、クーポン利用履歴情報２６２とを記憶する。クーポン情報２６１とクーポン利用履歴情報２６２との詳細は後述する。クーポン情報２６１は、電子クーポン発行装置２０が発行するクーポンの情報を示す。クーポン利用履歴情報２６２は、電子クーポン発行装置２０が発行したクーポンが電子クーポン管理装置１０によって利用された履歴を示す。
【００３５】
制御部２０７は、記憶部２０６に記憶されるプログラムを読み込んで実行することにより、電子クーポン発行装置２０の動作を制御する。制御部２０７は、例えば複数のプロセッサによって実現される。制御部２０７は、プログラムに従って動作することにより、クーポン発行処理部２７１と、履歴情報送信部２７２として機能する。
【００３６】
クーポン発行処理部２７１は、電子クーポン管理装置１０と通信することにより、電子クーポン管理装置１０に対しクーポンを発行する。
【００３７】
履歴情報送信部２７２は、例えばクーポンを発行するスポンサーの装置、サーバ装置その他の装置に対し、クーポンが利用された履歴であるクーポン利用履歴情報２６２を送信する。スポンサーの装置、サーバ装置等の装置は、電子クーポン発行装置２０から送信されるクーポン利用履歴情報２６２を蓄積し、ユーザによるクーポンの利用状況を分析する。これにより、クーポンを発行しようとする広告主に対し、クーポンを発行した場合の広告効果を示す情報を提供することができる。
【００３８】
＜データ構造＞
図３と図４とを参照して、実施の形態の電子クーポン管理装置と電子クーポン発行装置とからなるシステムで使用されるデータのデータ構造について説明する。
【００３９】
図３は、クーポン情報２６１のデータ構造と、クーポン利用履歴情報２６２のデータ構造とを示す図である。図３に示すように、クーポン情報２６１の各レコードは、クーポン識別情報２６１Ａと、クーポン発行者２６１Ｂと、クーポン名称２６１Ｃと、クーポンジャンル２６１Ｄと、クーポン有効期限２６１Ｅと、転送許容回数２６１Ｆとを含む。
【００４０】
クーポン識別情報２６１Ａは、各電子クーポンを識別する情報である。クーポン発行者２６１Ｂは、クーポンの発行者を示す情報である。クーポン名称２６１Ｃは、クーポンの名称を示す。クーポンジャンル２６１Ｄは、クーポンのジャンルを示す。ジャンルとは、例えばクーポンが割引対象とする商品またはサービスの属性、種類などである。クーポン有効期限２６１Ｅは、各電子クーポンに設定される有効期限である。各電子クーポンの有効期限は、例えばクーポンを発行する発行者によって設定される。転送許容回数２６１Ｆは、各電子クーポンが電子クーポン管理装置１０によって転送される回数の上限の設定である。例えば、クーポン識別情報２６１Ａが値「０００１」のレコードは、クーポンを発行する発行者が名称「ＡＡＡ」であり、クーポン名称２６１Ｃに示すようにガソリンの割引に関するものであり、クーポン有効期限２６１Ｅに示すようにクーポン発行者が有効期限を期限「２０１５年９月１１日」まで使用することができると設定しているクーポンであることを示す。
【００４１】
図３に示すように、クーポン利用履歴情報２６２の各レコードは、クーポン識別情報２６２Ａと、クーポン発行日時２６２Ｂと、クーポン転送日時２６２Ｃと、クーポン転送位置２６２Ｄと、クーポン転送者２６２Ｅと、クーポン利用日時２６２Ｆとを含む。
【００４２】
クーポン識別情報２６２Ａは、電子クーポン管理装置１０のユーザによって利用された各電子クーポンを識別する情報である。クーポン発行日時２６２Ｂは、各電子クーポンが電子クーポン発行装置２０によって発行された日時を示す。クーポン転送日時２６２Ｃは、クーポンを利用したユーザの電子クーポン管理装置１０が、利用に係るクーポンを他の移動体（他の電子クーポン管理装置）から受信した場合（他の移動体等がクーポンを電子クーポン管理装置１０に転送した場合）の、クーポンの転送日時を示す。すなわち電子クーポン管理装置１０は、クーポン転送日時２６２Ｃに示される時点において、他の移動体等からクーポンを受信している。クーポン転送位置２６２Ｄは、クーポンを利用したユーザの電子クーポン管理装置１０が、他の移動体等からクーポンを受信した位置の情報を示す。クーポン転送者２６２Ｅは、電子クーポン管理装置１０に対してクーポンを転送した転送者の識別情報を示す。例えば、クーポン転送者２６２Ｅは、クーポンを転送した電子クーポン管理装置のユーザの識別情報、クーポンを転送した電子クーポン管理装置の識別情報その他の情報を示す。
【００４３】
図４は、クーポン管理情報１５１のデータ構造と、保存期間設定情報１５２のデータ構造と、紹介用クーポン情報１５３のデータ構造とを示す図である。図４に示すように、クーポン管理情報１５１の各レコードは、クーポン識別情報１５１Ａと、クーポン受信日時１５１Ｂと、利用可能期限１５１Ｃと、クーポン有効期限１５１Ｄと、クーポンジャンル１５１Ｅと、クーポン利用可能位置１５１Ｆと、クーポン取得経路１５１Ｇと、クーポン受信位置１５１Ｈと、クーポン利用可否１５１Ｉとを含む。
【００４４】
クーポン識別情報１５１Ａは、電子クーポン管理装置１０が他の移動体、電子クーポン発行装置２０等の外部の装置から受信した各電子クーポンを識別する情報を示す。クーポン受信日時１５１Ｂは、電子クーポン管理装置１０が外部の装置からクーポンを受信した日時を示す。利用可能期限１５１Ｃは、電子クーポン管理装置１０が各電子クーポンを利用することができる期限を示す。電子クーポン管理装置１０は、保存期間設定情報１５２を参照して、クーポンのジャンルに応じて、クーポンを外部の装置から受信した時から一定期間が経過した場合にクーポンとしての利用を制限するよう、各電子クーポンを利用することができる期限を設定する。すなわち、電子クーポン管理装置１０は、各電子クーポンについて発行者が定める有効期限とは別に、クーポンを受信した時から一定期間経過後に、例えばクーポンを消去する等によりクーポンの利用を制限する。クーポン有効期限１５１Ｄは、各電子クーポンについて発行者が定める有効期限を示す。クーポンジャンル１５１Ｅは、各電子クーポンのジャンルの設定を示す。クーポン利用可能位置１５１Ｆは、クーポンを利用することができる位置を示す。クーポンを利用することができる位置とは、例えば、クーポンを発行する発行者の店舗などがある。クーポンを利用することができる位置の情報（例えば、店舗の住所である。また、電子クーポン管理装置１０は、店舗の名称、店舗の電話番号など、店舗の位置を示す情報と対応付けられている情報に基づいて、クーポンを利用することができる位置の情報を取得することもできる）は、クーポンに含まれる。クーポン取得経路１５１Ｇは、電子クーポン管理装置１０が各電子クーポンを受信した際の通信相手を識別する情報である。すなわち、クーポン取得経路１５１Ｇは、電子クーポン管理装置１０が、外部のどの装置からクーポンを受信したかを示す。クーポン受信位置１５１Ｈは、電子クーポン管理装置１０がクーポンを受信した位置を示す。電子クーポン管理装置１０は、他の移動体、電子クーポン発行装置２０その他の装置からクーポンを受信する。電子クーポン管理装置１０が電子クーポン発行装置２０からクーポンを受信した場合は、クーポン受信位置１５１Ｈは、電子クーポン発行装置２０の位置情報を示す。例えば、電子クーポン管理装置１０が電子クーポン発行装置２０からクーポンを受信した場合に、電子クーポン管理装置１０が、ナビゲーションモジュール４１、図示しないＧＰＳ（Global  Positioning  System）モジュールその他の装置から位置情報を取得する。また、電子クーポン管理装置１０が他の移動体からクーポンを受信した場合は、クーポン受信位置１５１Ｈは、他の移動体からクーポンを受信した位置を示す。例えば、電子クーポン管理装置１０が他の移動体からクーポンを受信した場合に、電子クーポン管理装置１０が位置情報を取得する。クーポン利用可否１５１Ｉは、電子クーポン管理装置１０が各電子クーポンを利用することができるか否かを示す。例えば、電子クーポン管理装置１０は、現在時刻が、利用可能期限１５１Ｃに指定される期限またはクーポン有効期限１５１Ｄに指定される期限の少なくともいずれかよりも後の時刻である場合、各電子クーポンを利用することができないと判定する。
【００４５】
保存期間設定情報１５２の各レコードは、クーポンジャンル１５２Ａと、保存期間設定１５２Ｂとを含む。
【００４６】
クーポンジャンル１５２Ａは、クーポンのジャンルを示す。保存期間設定１５２Ｂは、各ジャンルについて、電子クーポン管理装置１０がクーポンを受信した時からクーポンを電子クーポン管理装置１０で保存する期間を示す。例えば、保存期間設定１５２Ｂの設定が設定「取得時より１５分」であるジャンルの場合、電子クーポン管理装置１０は、クーポンを取得した時に、クーポン管理情報１５１の利用可能期限１５１Ｃに、クーポンを取得した時点に１５分を加算した時点を設定する。また、保存期間設定１５２Ｂの設定が設定「記憶しない」であるジャンルの場合、電子クーポン管理装置１０は、このジャンルのクーポンについては記憶部１５０に記憶せず破棄する。
【００４７】
紹介用クーポン情報１５３の各レコードは、クーポン識別情報１５３Ａと、クーポン受信日時１５３Ｂと、クーポン利用可能位置１５３Ｃと、クーポンジャンル１５３Ｄと、利用可能期限１５３Ｅと、クーポン取得経路１５３Ｆとを含む。
【００４８】
クーポン識別情報１５３Ａは、電子クーポン管理装置１０が他の電子クーポン管理装置へ転送するクーポンを識別する情報を示す。クーポン受信日時１５３Ｂは、電子クーポン管理装置１０がクーポンを他の移動体、電子クーポン発行装置２０等の外部の装置から受信した日時を示す。クーポン利用可能位置１５３Ｃは、クーポンを利用することができる位置を示す。クーポンを利用することができる位置とは、例えば、クーポンを発行する発行者の店舗等である。クーポンジャンル１５３Ｄは、各電子クーポンのジャンルの設定を示す。利用可能期限１５３Ｅは、各電子クーポンについて発行者が定める有効期限とは別に、電子クーポン管理装置１０が各電子クーポンを利用することができる期限を示す。クーポン取得経路１５３Ｆは、電子クーポン管理装置１０が各電子クーポンを受信した際の通信相手を識別する情報である。電子クーポン管理装置１０は、クーポンを外部の装置から受信した際に、通信相手の識別情報をクーポン管理情報１５１のクーポン取得経路１５１Ｇと紹介用クーポン情報１５３のクーポン取得経路１５３Ｆとに格納する。
【００４９】
＜動作＞
図５から図７を参照して、本実施形態のシステムを構成する各装置の動作を説明する。
【００５０】
図５は、電子クーポン管理装置１０が電子クーポン発行装置２０から取得したクーポンが他の電子クーポン管理装置へ転送され、他の電子クーポン管理装置によってクーポンが利用される処理を示すフローチャートである。図５の例において、電子クーポン発行装置２０は、給油所１に設置される。移動体３Ａ（第１の移動体）が給油所１において給油される際に、移動体３Ａに搭載される電子クーポン管理装置１０が電子クーポン発行装置２０と通信して電子クーポン発行装置２０からクーポンを取得する（図１の状態（Ａ））。移動体３Ａに搭載される電子クーポン管理装置１０は、移動体３Ａが走行中に他の移動体に対してクーポンを転送する（図１の状態（Ｂ）と状態（Ｃ））。移動体３Ｂ（第２の移動体）は、走行中に移動体３Ａと通信することで、移動体３Ａから転送されるクーポンを取得する。移動体３Ｂは、給油所１へ移動し、給油所１において給油される際に、移動体３Ａから取得したクーポンを使用する。電子クーポン発行装置２０は、移動体３Ｂに対してクーポンを転送した移動体３Ａのユーザに対し、特典を付与する（例えば、移動体３Ａのユーザに対し、クーポンを発行する、キャッシュバックを行う等）。
【００５１】
ステップＳ１０１において、給油所１に設置される電子クーポン発行装置２０は、移動体３Ａが給油を受ける際に、移動体３Ａの電子クーポン管理装置１０に対して移動体３Ａのユーザを識別する情報（顧客ＩＤ）を要求する。
【００５２】
ステップＳ３０１において、移動体３Ａに搭載される電子クーポン管理装置１０は、電子クーポン発行装置２０からの顧客ＩＤの要求に応じて、移動体３Ａの顧客ＩＤを送信する。なお、移動体３Ａのユーザが、利用者通信装置１２０に記録されるユーザ識別情報を顧客ＩＤとして電子クーポン発行装置２０へ送信することもできる。なお、移動体３Ａの電子クーポン管理装置１０は、顧客ＩＤを保持していない場合に、顧客ＩＤの発行を要求する応答を給油所１の電子クーポン発行装置２０へ送信する。
【００５３】
ステップＳ１０５において、電子クーポン発行装置２０は、ステップＳ３０１で受信した顧客ＩＤに応じた音声データを移動体３Ａの電子クーポン管理装置１０へ出力する。例えば、電子クーポン発行装置２０は、顧客ＩＤに示されるユーザの来店回数等に応じて音声データを電子クーポン管理装置１０へ送信する。なお、ステップＳ１０１による顧客ＩＤの要求を電子クーポン発行装置２０が移動体３Ａの電子クーポン管理装置１０へ送信した後、移動体３Ａの電子クーポン管理装置１０から、顧客ＩＤを保持していないことを示す応答を受信することがある。この場合、電子クーポン発行装置２０は、移動体３Ａのユーザの顧客ＩＤを割り当てて、割り当てた顧客ＩＤを移動体３Ａの電子クーポン管理装置１０へ送信する。
【００５４】
ステップＳ３０３において、移動体３Ａの電子クーポン管理装置１０は、ステップＳ１０５により電子クーポン発行装置２０から受信した音声データを再生する。例えば、ステップＳ３０１で電子クーポン管理装置１０から電子クーポン発行装置２０へ送信する顧客ＩＤの来店回数が多くなるにつれて、電子クーポン発行装置２０がユーザの来店に感謝する旨のメッセージを含む音声データを電子クーポン発行装置２０から電子クーポン管理装置１０へ送信することとしてもよい。
【００５５】
ステップＳ１０７において、給油所１が移動体３Ａに対する給油を完了する。
ステップＳ１０９において、給油所１に設置される電子クーポン発行装置２０は、移動体３Ａが他の移動体に対して転送することができるクーポン（紹介用割引チケット）を移動体３Ａの電子クーポン管理装置１０へ送信する。
【００５６】
ステップＳ１１１において、給油所１に設置される電子クーポン発行装置２０は、ステップＳ１０９で電子クーポン管理装置１０へ送信したクーポンに関する音声データ（例えば、移動体３Ａが他の移動体に対して転送することができるクーポンがある旨を音声で出力するための音声データ）を電子クーポン管理装置１０へ送信する。
【００５７】
ステップＳ３０５において、移動体３Ａの電子クーポン管理装置１０は、給油所１の電子クーポン発行装置２０から、クーポンに関する音声データを受信して、受信した音声データ（例えば、移動体３Ａが他の移動体に対して転送することができるクーポンを受信したことを示す音声データ）を音声により出力する。
【００５８】
以上説明した電子クーポン発行装置２０と電子クーポン管理装置１０の各処理は、図１の状態（Ａ）において行われる。
【００５９】
ステップＳ３０７において、移動体３Ａに搭載される電子クーポン管理装置１０は、他の移動体に対してクーポンを転送するため、移動体３Ａのユーザの識別情報（顧客ＩＤ）とクーポンとを逐次送信する（図１の状態（Ｂ））。
【００６０】
ステップＳ３０９において、移動体３Ａに搭載される電子クーポン管理装置１０が、他の移動体である移動体３Ｂとの通信を開始し、移動体３Ｂに対して電子クーポン発行装置２０から取得したクーポンを転送する（図１の状態（Ｃ））。
【００６１】
ステップＳ３５１において、移動体３Ｂに搭載される電子クーポン管理装置１０は、移動体３Ａのユーザの識別情報（顧客ＩＤ）と、移動体３Ａから転送されるクーポンとを受信する。移動体３Ｂの電子クーポン管理装置１０は、クーポン管理情報１５１に、受信したクーポンの情報と、クーポンを転送した移動体３Ａのユーザの情報（クーポン取得経路１５１Ｇ）と、クーポンを受信した位置（クーポン受信位置１５１Ｈ）とを登録する。
【００６２】
ステップＳ３５３において、移動体３Ｂの電子クーポン管理装置１０は、他の移動体（移動体３Ａ）からクーポンを受信したことを音声により出力する。また、移動体３Ｂの電子クーポン管理装置１０は、クーポンのクーポン内容にかかる位置情報に示される地点への経路探索を行うかどうかを移動体３Ｂのユーザに確認するための音声を出力する。例えば、移動体３Ｂの電子クーポン管理装置１０は、給油所１の電子クーポン発行装置２０が発行したクーポン（ガソリンの割引）を移動体３Ａから受信したことを音声により出力し、給油所１の位置への経路探索を行うかどうかを移動体３Ｂのユーザに確認するための音声を出力する。
【００６３】
ステップＳ３５５において、移動体３Ｂの電子クーポン管理装置１０は、クーポンのクーポン内容にかかる位置情報に示される地点への経路探索を行う場合に、ナビゲーションモジュール４１によって経由地を設定する。これにより、クーポンのクーポン内容にかかる位置情報に示される地点までのナビゲーションを開始する。
【００６４】
ステップＳ３５７において、移動体３Ｂが給油所１に到着し、給油所１の電子クーポン発行装置２０と通信を開始する。
【００６５】
ステップＳ１５１において、給油所１の電子クーポン発行装置２０は、移動体３Ｂが給油を受ける際に、移動体３Ｂの電子クーポン管理装置１０に対して移動体３Ｂのユーザを識別する情報（顧客ＩＤ）を要求する。
【００６６】
ステップＳ３５９において、移動体３Ｂの電子クーポン管理装置１０は、電子クーポン発行装置２０からの顧客ＩＤの要求に応じて、移動体３Ｂの顧客ＩＤを送信する。
【００６７】
ステップＳ３６１において、移動体３Ｂの電子クーポン管理装置１０は、移動体３Ａから受信したクーポン（移動体３Ａの顧客ＩＤを含む）を給油所１の電子クーポン発行装置２０へ送信する。
【００６８】
ステップＳ１５７において、給油所１の電子クーポン発行装置２０は、移動体３Ｂへの給油を完了すると、移動体３Ｂに対してクーポンを転送したユーザ（移動体３Ａのユーザ）へ、クーポンを移動体３Ｂのユーザに対して紹介したことによる特典を付与する処理（例えば、移動体３Ａのユーザに対する割引券の提供、キャッシュバックなど）を実行する。
【００６９】
ステップＳ１５９において、給油所１の電子クーポン発行装置２０は、移動体３Ｂが他の移動体に対して転送することができるクーポン（紹介用割引チケット）を移動体３Ｂの電子クーポン管理装置１０へ送信する。
【００７０】
図６は、移動体３に搭載される電子クーポン管理装置１０が電子クーポン発行装置２０と通信する処理を示すフローチャートである。図６に示す処理は、移動体３が給油所１に到着し、移動体３が停車して給油を受ける状態（停車モード）になったときに開始される。移動体３に搭載される電子クーポン管理装置１０は、移動体３が給油を受ける状態において、給油所１の電子クーポン発行装置２０と通信接続する。
【００７１】
ステップＳ６０１において、電子クーポン管理装置１０の制御部１６０は、電子クーポン発行装置２０から、移動体３のユーザを識別する情報（顧客ＩＤ）の要求を受信したか否かを判断する。制御部１６０は、ステップＳ６０１において顧客ＩＤの要求を受信した場合（ステップＳ６０１においてＹＥＳ）、ステップＳ６０５の処理を行い、そうでない場合（ステップＳ６０１においてＮＯ）、ステップＳ６０３の処理を行う。
【００７２】
ステップＳ６０３において、制御部１６０は、電子クーポン発行装置２０から、移動体３のユーザに割り当てられた顧客ＩＤを受信したか否かを判断する。電子クーポン管理装置１０は、移動体３のユーザに割り当てられた顧客ＩＤを受信した場合（ステップＳ６０３においてＹＥＳ）、ステップＳ６１１の処理を行い、そうでない場合（ステップＳ６０３においてＮＯ）、ステップＳ６１７の処理を行う。
【００７３】
ステップＳ６０５において、制御部１６０は、電子クーポン管理装置１０が移動体３のユーザを識別する情報（顧客識別情報１５４）を保持しているか否かを判断する。電子クーポン管理装置１０が顧客識別情報１５４を保持している場合（ステップＳ６０５においてＹＥＳ）、制御部１６０は、ステップＳ６０７の処理を行い、そうでない場合（ステップＳ６０５においてＮＯ）、ステップＳ６０９の処理を行う。
【００７４】
ステップＳ６０７において、制御部１６０は、クーポン管理情報１５１を参照して、電子クーポン発行装置２０に対して利用できるクーポンがあるか否かを判断する。例えば、制御部１６０は、現在地を示す位置情報をナビゲーションモジュール４１等によって取得し、取得した位置において利用可能なクーポンがあるか否かをクーポン管理情報１５１のクーポン利用可能位置１５１Ｆを参照して判断する。制御部１６０は、電子クーポン発行装置２０に対して利用できるクーポンがある場合に（ステップＳ６０７においてＹＥＳ）、ステップＳ６１５の処理を行い、そうでない場合に（ステップＳ６０７においてＮＯ）、ステップＳ６１３の処理を行う。
【００７５】
ステップＳ６０９において、制御部１６０は、移動体３のユーザに対し顧客ＩＤの発行を要求する応答を電子クーポン発行装置２０へ送信する。
【００７６】
ステップＳ６１１において、制御部１６０は、ステップＳ６０３で受信した顧客ＩＤを顧客識別情報１５４として記憶部１５０に記憶させる。
【００７７】
ステップＳ６１３において、制御部１６０は、顧客識別情報１５４を電子クーポン発行装置２０へ送信する。
【００７８】
ステップＳ６１５において、制御部１６０は、顧客識別情報１５４と、電子クーポン発行装置２０に対して利用できるクーポンとを電子クーポン発行装置２０へ送信する。
【００７９】
ステップＳ６１７において、制御部１６０は、電子クーポン発行装置２０から音声データを受信したか否かを判断する。制御部１６０は、電子クーポン発行装置２０から音声データを受信している場合（ステップＳ６１７においてＹＥＳ）、ステップＳ６１９の処理を行い、そうでない場合（ステップＳ６１７においてＮＯ）、ステップＳ６２１の処理を行う。
【００８０】
ステップＳ６１９において、制御部１６０は、電子クーポン発行装置２０から受信した音声データを音声により出力する。
【００８１】
ステップＳ６２１において、制御部１６０は、電子クーポン発行装置２０が発行するクーポンを電子クーポン発行装置２０から受信したか否かを判断する。制御部１６０は、電子クーポン発行装置２０からクーポンを受信した場合（ステップＳ６２１においてＹＥＳ）、ステップＳ６２３の処理を行い、そうでない場合（ステップＳ６２１においてＮＯ）、ステップＳ６２９の処理を行う。
【００８２】
ステップＳ６２３において、制御部１６０は、電子クーポン発行装置２０から受信したクーポンが、他の移動体へ転送することができるクーポン（紹介クーポン）であるか否かを判断する。例えば、クーポンが紹介クーポンであるか否か（他の移動体へ転送することができるか否か）を示す情報が、クーポンに含まれる。制御部１６０は、電子クーポン発行装置２０から紹介クーポンを受信した場合（ステップＳ６２３においてＹＥＳ）、ステップＳ６２７の処理を行い、そうでない場合（ステップＳ６２３においてＮＯ）、ステップＳ６２５の処理を行う。
【００８３】
ステップＳ６２５において、制御部１６０は、ステップＳ６２１で受信したクーポンの情報をクーポン管理情報１５１へ登録する。
【００８４】
ステップＳ６２７において、制御部１６０は、電子クーポン発行装置２０から受信した紹介クーポンの情報をクーポン管理情報１５１へ登録する。また、制御部１６０は、紹介クーポンの情報をメモリに格納して紹介用クーポン情報１５３を更新する。
【００８５】
ステップＳ６２９において、制御部１６０は、紹介用クーポン情報１５３を参照して、利用可能期限１５３Ｅに示される利用可能期限を過ぎたクーポンがある場合に、紹介クーポンの情報を格納するメモリから、利用可能期限を過ぎた紹介クーポンの情報を消去して紹介用クーポン情報１５３を更新する。
【００８６】
ステップＳ６３１において、制御部１６０は、移動体３の給油が終了したか否かを判断し、給油が終了していない場合に（ステップＳ６３１においてＮＯ）、ステップＳ６０１の処理を行い、給油が終了した場合に（ステップＳ６３１においてＹＥＳ）、図６に示す処理を終了する。
【００８７】
図７は、移動体３に搭載される電子クーポン管理装置１０が、移動体３が走行中の状態において他の移動体の電子クーポン管理装置と通信してクーポンを送信または受信する処理を示すフローチャートである。
【００８８】
ステップＳ７０１において、電子クーポン管理装置１０の制御部１６０は、紹介用クーポン情報１５３を参照し、他の移動体に対して送信する対象となる紹介クーポンがあるか否かを判断する。紹介クーポンがある場合（ステップＳ７０１においてＹＥＳ）、制御部１６０は、ステップＳ７０３の処理を行い、そうでない場合（ステップＳ７０１においてＮＯ）、ステップＳ７０５の処理を行う。
【００８９】
ステップＳ７０３において、制御部１６０は、通信可能な外部の装置を探索し、通信可能な外部の装置と通信接続した場合に、紹介クーポンの情報を格納するメモリの情報を読み出して、紹介クーポンを外部の装置に対して送信する。
【００９０】
ステップＳ７０５において、制御部１６０は、通信可能な外部の装置を探索し、他の移動体に搭載される電子クーポン管理装置からクーポンを受信したか否かを判断する。他の移動体に搭載される電子クーポン管理装置からクーポンを受信した場合（ステップＳ７０５においてＹＥＳ）、制御部１６０は、ステップＳ７０７の処理を行い、そうでない場合（ステップＳ７０５においてＮＯ）、ステップＳ７１７の処理を行う。
【００９１】
ステップＳ７０７において、制御部１６０は、他の移動体に搭載される電子クーポン管理装置から受信したクーポンをクーポン管理情報１５１に登録する。また、制御部１６０は、受信したクーポンの情報をメモリに格納して紹介用クーポン情報１５３を更新する。
【００９２】
ステップＳ７０９において、制御部１６０は、ステップＳ７０５で他の移動体に搭載される電子クーポン管理装置から受信したクーポンに位置情報が含まれるか否か（クーポンのクーポン内容にかかる位置情報があるか否か）を判断する。受信したクーポンに位置情報が含まれる場合（ステップＳ７０９においてＹＥＳ）、制御部１６０は、ステップＳ７１１の処理を行い、そうでない場合（ステップＳ７０９においてＮＯ）、ステップＳ７１７の処理を行う。
【００９３】
ステップＳ７１１において、制御部１６０は、クーポンに含まれる位置情報に示される地点への経路探索を行うかどうかを移動体３のユーザに確認するための音声ガイドを出力する。
【００９４】
ステップＳ７１３において、制御部１６０は、クーポンに含まれる位置情報に示される地点に対し、ユーザが経由地の設定をする操作を行ったか否かを判断する。ユーザがクーポンに含まれる位置情報を経由地と設定する操作を行った場合（ステップＳ７１３においてＹＥＳ）、制御部１６０は、ステップＳ７１５の処理を行い、そうでない場合（ステップＳ７１３においてＮＯ）、ステップＳ７１７の処理を行う。
【００９５】
ステップＳ７１５において、制御部１６０は、クーポンのクーポン内容にかかる位置情報に示される地点への経路探索を行うため、ナビゲーションモジュール４１によって経由地を設定する。
【００９６】
ステップＳ７１７において、制御部１６０は、紹介用クーポン情報１５３を参照して、利用可能期限１５３Ｅに示される利用可能期限を過ぎたクーポンがある場合に、紹介クーポンの情報を格納するメモリから、利用可能期限を過ぎた紹介クーポンの情報を消去して紹介用クーポン情報１５３を更新する。
【００９７】
ステップＳ７１９において、制御部１６０は、移動体３の走行が終了したか否かを判断し、走行が終了していない場合（ステップＳ７１９においてＮＯ）、ステップＳ７０１の処理を行い、そうでない場合（ステップＳ７１９においてＹＥＳ）、図７に示す処理を終了する。
【００９８】
＜画面の表示例＞
以上のように、本実施形態のシステムに含まれる電子クーポン管理装置と電子クーポン発行装置との動作について説明した。ここで、画面の表示例を説明する。
【００９９】
図８は、電子クーポンの利用者に向けた画面の表示例、および、クーポンを発行する発行者に向けた画面の表示例を示す図である。
【０１００】
図８（Ａ）と図８（Ｂ）とは、電子クーポン管理装置１０がディスプレイ４２に表示する画面の表示例を示す。図８（Ａ）に示すように、ある局面において、電子クーポン管理装置１０は、クーポン管理情報１５１を参照し、ディスプレイ４２に、ユーザが利用可能なクーポンの一覧をクーポン一覧表示部８１に表示する。電子クーポン管理装置１０は、各電子クーポンについて、クーポンの発行者である店舗の名称（項目「店名」）と、店舗の所在地（項目「位置コード」）と、クーポンのジャンル（項目「ジャンル」）と、電子クーポン管理装置１０が各電子クーポンを取得した時にクーポンのジャンルに応じて設定する利用可能期限（項目「利用可能期限」）等の情報をクーポン一覧表示部８１に表示する。図８（Ａ）に示すように、電子クーポン管理装置１０は、ディスプレイ４２に現在時刻を表示する。図８（Ａ）の例では、ディスプレイ４２の右上付近に、現在時刻が「２０１５年６月１１日２０時００分００秒」であることが表示されている。各電子クーポンのうち、クーポンの識別番号が番号「１」であるクーポンは、クーポンを受信した時からの経過時間が比較的長く経過しており、他のクーポンと比較するとクーポンとして利用できる期限が近づいている。電子クーポン管理装置１０は、外部の装置から受信したクーポンについて、受信した時からの経過時間に応じて異なる態様でディスプレイ４２に表示させる。例えば、電子クーポン管理装置１０は、クーポンの識別番号が番号「１」のクーポンを、他のクーポンとは異なる態様でディスプレイ４２に表示する。図８（Ａ）に示す状態から一定時間が経過した後、電子クーポン管理装置１０は、図８（Ｂ）に示す画面を表示する。電子クーポン管理装置１０は、図６に示すステップＳ６２９、図７に示すステップＳ７１７等の処理により、利用可能期限が過ぎたクーポンを消去する。図８（Ｂ）の状態では、図８（Ａ）の時点でクーポンの識別番号が番号「１」のクーポンの利用可能期限が過ぎており、このクーポンが画面に表示されなくなる。
【０１０１】
図８（Ｃ）は、電子クーポン管理装置１０が他の移動体の電子クーポン管理装置からクーポンを受信して、クーポンに含まれる位置情報を経由地として設定してナビゲーションを開始する局面の画面の表示例を示す。図８（Ｃ）の状態は、例えば、図７のステップＳ７１１等の処理に対応する。図８（Ｃ）に示すように、電子クーポン管理装置１０は、ナビゲーションをナビゲーションモジュール４１によって実行するために、ディスプレイ４２に、地図表示部９３と、メッセージ表示部９４と、現在地アイコン９１と、目的地アイコン９２とを表示する。地図表示部９３は、ナビゲーションモジュール４１が記憶する地図情報を表示するための領域である。現在地アイコン９１は、電子クーポン管理装置１０を搭載する移動体３の現在地を示すアイコンである。目的地アイコン９２は、クーポンに含まれる位置情報により、経由地として設定する位置を示すアイコンである。メッセージ表示部９４は、移動体３のユーザへのメッセージを表示する領域である。電子クーポン管理装置１０は、図７に示すステップＳ７１１の処理を行って、クーポンに含まれる位置情報を経由地として設定するか否かのユーザの指示を促すためのメッセージをメッセージ表示部９４に表示する。
【０１０２】
図８（Ｄ）は、電子クーポン発行装置２０が記憶するクーポン利用履歴情報２６２に基づき、電子クーポン発行装置２０が発行するクーポンが移動体によって他の移動体に転送された位置の分布を画面に表示する例を示す。電子クーポン発行装置２０は、ディスプレイ２００に対し、クーポン利用履歴情報２６２に基づいて、地図表示部７４と、メッセージ表示部７５とを表示する。地図表示部７４は、クーポンを発行する発行位置（例えば、クーポンの発行者の店舗）を含む地図情報を表示するための領域である。メッセージ表示部７５は、クーポンの発行者へのメッセージを表示するための領域である。図８（Ｄ）に示す例では、電子クーポン発行装置２０は、クーポン利用履歴情報２６２を参照し、地図表示部７４に、クーポンが移動体によって他の移動体へ転送された位置を示すアイコンを表示する。クーポン発行者位置７１は、クーポンを発行する発行位置を示すアイコンである。また、電子クーポン発行装置２０は、地図表示部７４に、クーポンを発行した日時からの経過時間に応じて異なるアイコンを表示する。すなわち、電子クーポン発行装置２０は、クーポンを発行してから第１の時間内（１５分以内）にクーポンが転送された位置を、クーポン転送位置７２Ａ、７２Ｂおよび７２Ｃとして表示する。また、電子クーポン発行装置２０は、クーポンを発行してから第２の時間内（３０分以内）にクーポンが転送された位置を、クーポン転送位置７３Ａ、７３Ｂおよび７３Ｃとして表示する。電子クーポン発行装置２０は、このように、クーポン利用履歴情報２６２に基づいて、クーポンの発行位置と、クーポンが転送される位置の分布とをディスプレイ２００に表示することで、クーポンの発行者に対し、クーポンを発行することの広告効果を視覚的に表示する。クーポン利用履歴情報２６２は、クーポンの転送を受けた移動体がクーポンの発行位置（クーポンの発行者の店舗など）でクーポンを利用した履歴を示す。そのため、電子クーポン発行装置２０が図８（Ｄ）に示すような表示をすることで、クーポンの発行者は、発行したクーポンが地理的にどの範囲まで拡散するかを視覚的に把握することができる。すなわち、クーポンの発行者は、利用者が発行者の店舗までの移動に要する時間をもとに、商圏を把握することができる。
【０１０３】
本実施の形態に係るシステムを構成する各装置は、プロセッサと、その上で実行されるプログラムにより実現される。本実施の形態を実現するプログラムは、通信インタフェースを介してネットワークを利用した送受信等により提供される。
【０１０４】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１０５】
１  給油所、２  移動経路、３  移動体、１０  電子クーポン管理装置、２０  電子クーポン発行装置、４１  ナビゲーションモジュール、４２  ディスプレイ、７１  クーポン発行者位置、７２  クーポン転送位置、７３  クーポン転送位置、７４  地図表示部、７５  メッセージ表示部、８１  クーポン一覧表示部、９１  現在地アイコン、９２  目的地アイコン、９３  地図表示部、９４  メッセージ表示部、１０１  アンテナ、１１１  無線通信部、１１３  入出力ＩＦ、１２０  利用者通信装置、１２１  ＩＣカード、１２２  スマートフォン、１２３  ウェアラブルデバイス、１５０  記憶部、１５１  クーポン管理情報、１５２  保存期間設定情報、１５３  紹介用クーポン情報、１５４  顧客識別情報、１６０  制御部、１６１  クーポン取得処理部、１６２  制限処理部、１６３  クーポン送信処理部、１６４  ナビゲーション処理部、１６５  取得時情報送信部、１６６  クーポン表示処理部、２０２  通信部、２０６  記憶部、２０７  制御部、２６１  クーポン情報、２６２  クーポン利用履歴情報。
【図１】
2016206710.tif 000003
【図２】
2016206710.tif 000004
【図３】
2016206710.tif 000005
【図４】
2016206710.tif 000006
【図５】
2016206710.tif 000007
【図６】
2016206710.tif 000008
【図７】
2016206710.tif 000009
【図８】
2016206710.tif 000010